(57)【要約】【課題】シート移動時にシートベルトの弛みの発生を防止し得る車両用シートシステムを提供する。【解決手段】シートクッション及びシートバックを備えた車両用シートと、該シートに着座した乗員を拘束可能なシートベルトと車両の所定状態に応じて該シートベルトの引出しを規制する機能をもつリトラクタとを備えたシートベルト装置とを有する車両用シートシステムにおいて、上記車両用シートにて、シート本体をフロアに対して前後若しくは車幅方向に移動可能に設置する一方、上記シートベルト装置にて、上記リトラクタを、上記シートクッション下のフロア側の所定位置に設置し、上記シートベルトを該リトラクタからシートクッション後端を介してシートバック上端近傍に設けられた引出し部まで延び、該引出し部から着座乗員側に向かって引出し可能であるように構成するとともに、上記シートベルトの弛みを抑制する弛み抑制手段を更に設ける。【選択図】図４
2008239020.tif 000002
【特許請求の範囲】
【請求項１】
シートクッションと、該シートクッションに対して傾倒可能に取り付けられるシートバックと、を備えた車両用シートと、
上記シートに着座した乗員を拘束可能なシートベルトと、車両の所定状態に応じて該シートベルトの引出しを規制する機能をもつリトラクタとを備えたシートベルト装置とを有する車両用シートシステムにおいて、
上記車両用シートにて、シート本体がフロアに対して前後若しくは車幅方向に移動可能に設置される一方、
上記シートベルト装置にて、上記リトラクタが、上記シートクッション下のフロア側の所定位置に設置され、上記シートベルトが、該リトラクタからシートクッション後端を介してシートバック上端近傍に設けられた引出し部まで延び、該引出し部から着座乗員側に向かって引出し可能であるように構成されるとともに、上記シートベルトの弛みを抑制する弛み抑制手段が更に設けられている、ことを特徴とする車両用シートシステム。
【請求項２】
上記弛み抑制手段が、上記リトラクタに設置され、車両が衝突判定時若しくは判定前に上記シートベルトを巻き取るテンショナ機構である、ことを特徴とする請求項１記載の車両用シートシステム。
【請求項３】
上記弛み抑制手段が、シートクッション後端又はその近傍若しくはシートバック下端又はその近傍に設置され、シートの前後又は車幅方向の移動に連動して、弛みを抑制するように構成されている、ことを特徴とする請求項１又は２に記載の車両用シートシステム。
【請求項４】
上記リトラクタは、シートベルトがリトラクタ後面の上端部より下方からシートクッション後端に向けて延びるように配設されている、ことを特徴とする請求項１〜３のいずれか一に記載の車両用シートシステム。
【発明の詳細な説明】
【技術分野】
【０００１】
本発明は、車両用シートシステムに、より詳しくは、シートクッションと該シートクッションに対して傾倒可能に取り付けられるシートバックと該シートバックの上端に取り付けられたヘッドレストとを備えた車両用シートと、上記シートに着座した乗員を拘束可能なシートベルトと車両の所定状態に応じて該シートベルトの引出しを規制する機能をもつリトラクタとを備えたシートベルト装置とを有する車両用シートシステムに関する。
【背景技術】
【０００２】
従来、車両に装備されるシートベルト装置では、シートベルトの巻取り及び繰出しを可能とするリトラクタが、シート近傍のセンタピラー内に設けられることが一般的であったが、近年、乗員の乗降時の開放感及び乗降性の向上を目的として、スライド式のドアや観音開きタイプのドアを採用しセンタピラーをなくした車両が広く知られるようになってきた。かかるタイプの車両では、リトラクタがシート内に組み込まれる、若しくは、フロアパネル側に配設されるようなシートベルト構造が採用される。後者の構造としては、例えば下記特許文献１において、シートクッション下部のフロアパネル上にリトラクタを配置し、シートベルトをシートバック上端まで延ばし、上端開口から引出し可能とするものが開示されている。
【０００３】
【特許文献１】特開２００３−１１７８１号公報
【発明の開示】
【発明が解決しようとする課題】
【０００４】
しかしながら、上記特許文献１で開示される構造において、リトラクタは、常時、シートベルトを巻き取る方向に付勢しているが、通常使用時におけるフロアに対するシート移動に伴い、シートベルトがリトラクタとシートバック上端の引出し部との間で最短距離をとらなくなる場合がある。この場合、例えば乗員の前方移動によりシートベルトが前方に引っ張られ、リトラクタが作動すると、シートベルトは最短距離となるまで引出し部から引き出されてしまい、シートベルトに弛みが生じ、乗員拘束性が不十分となるおそれがある。
【０００５】
この発明は、上記技術的課題に鑑みてなされたもので、シートの移動時にシートベルトの弛みの発生を防止することができる車両用シートシステムを提供することを目的とする。
【課題を解決するための手段】
【０００６】
そこで、本願の請求項１に係る発明は、シートクッションと、該シートクッションに対して傾倒可能に取り付けられるシートバックと、を備えた車両用シートと、該シートに着座した乗員を拘束可能なシートベルトと、車両の所定状態に応じて該シートベルトの引出しを規制する機能をもつリトラクタとを備えたシートベルト装置とを有する車両用シートシステムにおいて、該車両用シートにて、シート本体がフロアに対して前後若しくは車幅方向に移動可能に設置される一方、該シートベルト装置にて、上記リトラクタが、上記シートクッション下のフロア側の所定位置に設置され、上記シートベルトが、該リトラクタからシートクッション後端を介してシートバック上端近傍に設けられた引出し部まで延び、該引出し部から着座乗員側に向かって引出し可能であるように構成されるとともに、上記シートベルトの弛みを抑制する弛み抑制手段が更に設けられている、ことを特徴としたものである。
【０００７】
また、本願の請求項２に係る発明は、請求項１に係る発明において、上記弛み抑制手段が、上記リトラクタに設置され、車両が衝突判定時若しくは判定前に上記シートベルトを巻き取るテンショナ機構である、ことを特徴としたものである。
【０００８】
更に、本願の請求項３に係る発明は、請求項１又は２に係る発明において、上記弛み抑制手段が、シートクッション後端又はその近傍若しくはシートバック下端又はその近傍に設置され、シートの前後又は車幅方向の移動に連動して、弛みを抑制するように構成されている、ことを特徴としたものである。
【０００９】
また、更に、本願の請求項４に係る発明は、請求項１〜３に係る発明のいずれかにおいて、上記リトラクタは、シートベルトがリトラクタ後面の上端部より下方からシートクッション後端に向けて延びるように配設されている、ことを特徴としたものである。
【発明の効果】
【００１０】
そこで、本願の請求項１に係る発明によれば、通常使用時のシート移動に伴い、それ以降にリトラクタが作動する前に、リトラクタとシートバック上端の引出し部との間で最短距離をとるようにシートベルトを調整することができ、シートベルトの弛みの発生を抑制して、乗員の拘束性を確実に確保することができる。
【００１１】
また、本願の請求項２に係る発明によれば、既存のテンショナ機構を適用して、上記請求項１に係る発明による効果を奏することができる。
【００１２】
更に、本願の請求項３に係る発明によれば、比較的簡単な構成で、上記請求項１に係る発明による効果を奏することができる。
【００１３】
また、更に、本願の請求項４に係る発明によれば、シートベルトのシートクッション後端近傍における延設方向の変更角度を、リトラクタ上面からシートベルトを延設するのに比べ小さくすることができ、その結果、シートクッション後端近傍でのシートベルトに対する抵抗が小さくなり、シートベルトの弛みの発生をより効果的に抑制することができる。また、リトラクタ作動時にシートベルトの張力によりシートクッション後端近傍にかかる荷重を軽減することができる。
【発明を実施するための最良の形態】
【００１４】
以下、本発明の実施形態について、添付図面を参照しながら説明する。
図１及び２は、それぞれ、本発明の実施形態に係る車両用シートシステムを示す側面図及び背面図である。この車両用シートシステムは、基本的に、車両用シート及び該シートに着座した乗員を拘束するためのシートベルト装置から構成されている。車両用シートは、シートクッション２Ａと、シートクッション２Ａに対して傾倒可能に取り付けられるシートバック２Ｂと、シートバック２Ｂの上端に取り付けられたヘッドレスト２Ｃとを有するもので、そのフレーム構造として、シートクッション２Ａの下方でフロアパネル２４側に設置されたスライドレール１１上でスライド可能に支持されるシートクッションフレーム３と、シートクッションフレーム３にリクライニングアジャスタ（不図示）を介して傾倒自在に取り付けられた略逆Ｕ字状のシートバックフレーム５と、を備えている。そして、シートバックフレーム５の上端には、ヘッドレスト２Ｃが取り付けられている。
【００１５】
左右のリクライニングアジャスタはヒンジシャフト６を介して連結されており、一方のリクライニングアジャスタに取り付けられた操作レバー（不図示）を操作することにより、左右のリクライニングアジャスタが連動してシートバックフレーム５は所望の角度に設定される。
【００１６】
また、車両用シートは車両の前後方向に移動可能であるが、このシート移動用のガイド機構として、まず、互いに平行に延びる一対のスライドレール１１がフロアパネル２４側にシートマウントブラケット１３Ａ，１３Ｂを介して取り付けられている。具体的には、図１に示すように、スライドレール１１は、車両の前後方向における前側で、シートマウントブラケット１３Ａを介して、クロスメンバ２２に固定され、他方、車両前後方向における後側で、シートマウントブラケット１３Ｂを介して、シートの側方で車両前後方向に延びるサイドシルやトンネルと結合されつつ車幅方向に沿ってフロアパネル２４に形成される台座部２４ａに固定されている。
【００１７】
かかるスライドレール１１に対して、シートクッション２Ａがその上でスライド可能に連結されている。具体的には、シートクッション２Ａの下面側に、スライダ１２が取り付けられ、その下端側でスライドレール１１内にスライド可能に保持されている。そして、このスライダ１２がスライドレール１１に沿ってスライドすることで、シートクッション２Ａは車両の前後方向に移動可能となっている。車両用シートは、シートクッション２Ａがスライドレール１１上でスライドすることにより、車両の前後方向に移動可能である。
【００１８】
更に、ここでは、車両用シートが、座高調整用に、上下方向に移動可能であるように構成されており、この昇降機構として、シートクッションフレーム３は、スライダ１２に前後方向に広がる鉛直面内で揺動するリンク部材８Ａ，８Ｂを介して連結されている。これら前後左右のリンク部材８Ａ，８Ｂが連動することで、シートクッション２Ａがスライダ１２に対して前後方向に移動しつつ上下に移動する。図１に示す状態では、リンク部材８Ａ，８Ｂが後傾し、シートクッション２Ａが後側及び下側に位置させられている。
【００１９】
また、一方、シートベルト装置は、シートベルト２１と、シートベルト２１の巻取り及び繰出しを可能とするリトラクタ２０とを有する。リトラクタ２０は、常時シートベルト２１を巻き取る方向へ付勢しているが、この付勢力は、乗員によるシートベルト２１の繰り出しが容易に行える程度のものに設定されている。本実施形態では、リトラクタ２０が、シートクッション２Ａの下側の所定位置に固定式に配設されている。シートベルト２１の一端は、リトラクタ２０から引き出され、シートクッション２Ａの後端側に車幅方向に沿って設けられた支持シャフト７に掛け回された上で、シートバック２Ｂ内でシートバックフレーム５の後側に通過させられ、シートバック２Ｂの上端に設けられたベルト引出し部３０の開口３０ａ（図４参照）からシートバック２Ｂの前方に引き出される。
【００２０】
図１に示すように、リトラクタ２０は、車幅方向に延びるクロスメンバ２２にブラケット２３を介して固定されている。また、シートクッション２Ａには、乗員の着座性を向上させるために、車両前後方向の後側かつ車幅方向における中央にて下方に凹むような形状を備えたシートパン４が組み込まれるが、本実施形態では、リトラクタ２０が、シートパン４に干渉しないように、車両前後方向においては前側に配置され、また、車幅方向においてはシートバック上端の引込み部３０に近い側に配置されている。
【００２１】
更に、図２からよく分かるように、支持シャフト７は、シートクッションフレーム３に対して、左右のリンク部材８Ｂ間に、それらリンク部材８Ｂ，８Ｂの枢支軸と同軸上に延びるように取り付けられている。
【００２２】
ところで、前述したように構成されたシートベルト装置においては、通常使用時におけるフロアに対するシート移動に伴い、シートベルト２１がリトラクタ２０とシートバック２Ｂの上端の引出し部３０との間で最短距離をとらなくなる場合があり、この場合に、乗員の前方移動によりシートベルト２１が前方に引っ張られ、リトラクタ２０が作動すると、シートベルト２１は最短距離となるまで引出し部３０から引き出されてしまい、シートベルト２１に弛みが生じるおそれがあるが、本実施形態では、シートベルト２１に瞬時に強い張力を付加してリトラクタ２０内にシートベルト２１を引き込むテンショナ機構を利用して、かかる事態を回避するようにしている。
【００２３】
なお、参考までに、図３には、本発明に係る車両用シートシステムを採用しない場合につき、リトラクタ２０と引出し部３０との間に延びるシートベルト２１のシート移動前後の状態を示す。図中の下側が車両の前方に対応し、（ａ）及び（ｂ）は、それぞれ、シート移動前後の状態をあらわしている。シートが後方にある（ａ）の状態では、シートベルト２１は、リトラクタ２０と引出し部３０との間で一点鎖線で示す最短距離をとるように延びている。この状態からシートが前方（矢印Ｄで示す方向）へ移動させられると、（ｂ）に示すように、シートベルト２１が支持シャフト７にて車幅方向外側（矢印Ｗに示す方向）にシフトし得ず（つまり（ａ）の図で、シートベルト２１に接する支持シャフト７の位置Ｘが変化せず）、リトラクタ２０と引出し部３０との間で最短距離をとらなくなる。このような現象は、シートを前方位置から後側へスライドさせる場合にも同様に発生する。
【００２４】
特に図示しないが、本実施形態では、テンショナ機構として、リトラクタ２０に組み込まれ、通常、車両が衝突判定時若しくは衝突判定前に乗員Ｐの操作性を著しく悪化させないようにシートベルト２１を巻き取るために用いられるモータ式のテンショナ機構が用いられる。シートの移動に伴い、このテンショナ機構を作動させることにより、それ以降にリトラクタ２０が作動する前に、シートベルト２１に張力が付加されて、リトラクタ２０と引出し部３０との間でシートベルト２１の最短距離が確保される。なお、テンショナ機構としては、モータ式に限定されず、車両が衝突判定直後に急激なガス発生によりピストンを作動させて、前述したモータ式のテンショナ機構がシートベルト２１を巻き取る張力よりも極めて大きな張力でシートベルト２１を巻き取るプリテンショナ機構を用いてもよい。
【００２５】
図４には、本実施形態に関して、リトラクタ２０と引出し部３０との間に延びるシートベルト２１のシート移動前後の状態を示す。図３と同様に、図中の下側が車両の前方に対応し、（ａ）及び（ｂ）は、それぞれ、シート移動前後の状態をあらわしている。シートが後方にある（ａ）の状態では、シートベルト２１は、リトラクタ２０と引出し部３０との間で最短距離をとるように延びている。この状態からシートが前方（矢印Ｄで示す方向）へ移動させられると、（ｂ）に示すように、それに応じて、プリテンショナ機構が作動され、矢印Ｐで示す方向にシートベルト２１が引き込まれる。これにより、シートベルト２１が支持シャフト７にて車幅方向外側にシフトし、リトラクタ２０と引出し部３０との間で最短距離をとることとなり、シートの移動に伴うシートベルト２１の弛みの発生を抑制することができる。
【００２６】
また、本実施形態では、図１に示すように、リトラクタ２０が、シートベルト２１がリトラクタ後面の下端部近傍からシートクッション２Ａの後端に向けて延びるように配設されている。これにより、リトラクタ２０と支持シャフト７との間で延びる部分と、支持シャフト７と引出し部３０との間で延びる部分とがなす角度（図中のθ）を大きくする、すなわち、リトラクタ２０がその上面からシートクッション２Ａの後端に向けてシートベルト２１が延びるように配設された場合に比べて、支持シャフト７におけるシートベルト２１の延び方向の変更角度を小さくすることができる。結果として、支持シャフト７でのシートベルト２１に対する抵抗が小さくなり、シートベルト２１の弛みの発生をより効果的に抑制することができる。また、リトラクタ２０の作動時にシートベルト２１の張力により支持シャフト７にかかる荷重を軽減することができる。
【００２７】
更に、本実施形態では、前述したように、リトラクタ２０が、シートクッション２Ａ側のシートパン４との干渉を防止しつつ、車幅方向において引出し部３０側に配置されるが、かかる配置もシートベルト２１の弛みの発生を抑制する上では効果的である。ただし、リトラクタ２０を、車幅方向において引出し部３０側に過度に偏って配置すると、前突時に乗員が前方移動するのに伴って発生するシートベルト２１の張力が引出し部３０側に過剰にかかり、剛性上好ましくないため、リトラクタ２０は、スライダ１２に近接配置させず、正面視でシートバックフレーム５の引出し部３０側の上下方向延設部分からリトラクタ側面までの車幅方向における離間距離（図２中の符号Ｌ）を例えば５０ｍｍ以上に設定することが好ましい。
【００２８】
前述した実施形態では、シート移動に伴うシートベルト２１の弛みの発生を防止する手段として、シートベルト２１に張力を付加するテンショナ機構が用いられたが、これに限定されることなく、例えば、支持シャフト７に対し、そのシャフト７上で回動可能であるガイドローラ９が取り付けられてもよい。図５には、かかる実施形態に関して、リトラクタ２０と引出し部３０との間に延びるシートベルト２１のシート移動前後の状態を示す。図３及び４と同様に、図中の下側が車両の前方に対応し、（ａ）及び（ｂ）は、それぞれ、シート移動前後の状態をあらわしている。シートが後方にある（ａ）の状態では、シートベルト２１は、リトラクタ２０と引出し部３０との間で最短距離をとるように延びている。この状態からシートが前方（矢印Ｄで示す方向）へ移動させられると、（ｂ）に示すように、ガイドローラ９が回動して、シートベルト２１が支持シャフト７にて車幅方向外側にシフトし、リトラクタ２０と引出し部３０との間で最短距離をとることとなる。これにより、比較的簡単な構成で、シート移動に伴うシートベルト２１の弛みの発生を抑制することができる。
【００２９】
なお、このガイドローラ９は、シートクッション後端における支持シャフト７に限らず、シートクッション後端近傍若しくはシートバック下端又はその近傍にて、車幅方向に延びつつシートベルト２１を支持するように別途設置されたシャフト上に取り付けられてもよい。また、ガイドローラ９は、前述したようなテンショナ機構と併用されてもよく、この場合には、シートの移動に伴い、テンショナ機構によりシートベルト２１がリトラクタ２０内に引き込まれつつ、ガイドローラ９が回動する、シートベルト２１が支持シャフト７にてより迅速にシフトするため、シートベルト２１の弛みの発生を一層確実に抑制することができる。
【００３０】
加えて、本発明は、例示された実施形態に限定されるものでなく、本発明の要旨を逸脱しない範囲において、種々の改良及び設計上の変更が可能であることは言うまでもない。
例えば、前述した実施形態では、シートクッション２Ａが車両の前後方向に移動させられる形態のみが例示されたが、本発明は、シートクッション２Ａが車幅方向や斜め方向に移動させられる形態にも適用可能である。
【図面の簡単な説明】
【００３１】
【図１】本発明の実施形態に係る車両用シートシステムを示す側面図である。
【図２】上記車両用シートシステムを示す背面図である。
【図３】上記車両用シートシステムを採用しない場合に、リトラクタ〜引出し部間に延びるシートベルトのシート移動前後の状態を示す説明図である。
【図４】上記車両用シートシステムを採用した場合に、リトラクタ〜引出し部間に延びるシートベルトのシート移動前後の状態を示す説明図である。
【図５】本発明の別の実施形態に係る車両用シートシステムを採用した場合に、リトラクタ〜引出し部間に延びるシートベルトのシート移動前後の状態を示す説明図である。
【符号の説明】
【００３２】
２Ａ…シートクッション，２Ｂ…シートバック，３…シートクッションフレーム，５…シートバックフレーム，７…支持シャフト，９…ガイドローラ，１１…スライドレール，１２…スライダ，２０…リトラクタ，２１…シートベルト，２４…フロアパネル，３０…引出し部。
【図１】
2008239020.tif 000003
【図２】
2008239020.tif 000004
【図３】
2008239020.tif 000005
【図４】
2008239020.tif 000006
【図５】
2008239020.tif 000007